【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
記録材に画像形成を行う画像形成装置であって、
感光体と、
帯電位置で前記感光体を帯電させる帯電部材と、
前記帯電部材に電圧を印加する電圧印加部と、
帯電された前記感光体の表面を露光して潜像を形成する第１露光ユニットと、
前記潜像が現像剤により現像されて形成される現像剤像を、転写位置で前記感光体から被転写体に転写させる転写部材と、
前記転写位置を通過した後で前記帯電位置に到達する前の前記感光体の表面を露光する第２露光ユニットと、
前記転写部材に流れる電流を検知する電流検知部と、
前記電圧印加部が前記画像形成時に前記転写部材に印加する転写電圧値を設定する設定部と、
前記画像形成を開始する前に、前記帯電部材が前記感光体を帯電した後、前記電圧印加部が所定の調整用電圧値の電圧を前記転写部材に印加し、前記電流検知部が検知する電流値に基づいて、前記設定部が前記転写電圧値を設定する調整動作と、前記調整動作を行う前に、前記感光体の前記第２露光ユニットによって露光された部分が最初に前記帯電部材で帯電されるタイミングから、前記調整動作において前記電圧印加部が前記転写部材に前記調整用電圧値の電圧印加を開始するタイミングまでの期間と、を制御する制御ユニットと、
を有し、
前記制御ユニットは、前記感光体の感光層の厚みに関する情報に基づいて、前記期間の長さを変更することを特徴とする画像形成装置。
【請求項２】
前記制御ユニットは、前記感光体の感光層の厚みが薄いほど、前記期間が短くなるよう制御することを特徴とする請求項１に記載の画像形成装置。
【請求項３】
前記感光体の感光層の厚みに関する情報とは、前記画像形成を行った記録材の数、回転体としての前記感光体の回転数、画像形成装置内を通過した記録材の数、前記帯電部材により前記感光体を帯電した時間のうちのいずれかの情報に基づいて取得される情報であることを特徴とする請求項１または２に記載の画像形成装置。
【請求項４】
前記制御ユニットは、更に前記帯電部材の帯電能に関する情報に基づいて前記期間の長さを制御することを特徴とする請求項１〜３のいずれか１項に記載の画像形成装置。
【請求項５】
前記帯電部材は前記帯電位置で前記感光体に接触し、前記帯電能に関する情報は、前記帯電部材の抵抗値と、前記帯電部材に電圧を印加した時間と、前記帯電部材を流れる電流の積算値の少なくともいずれかに基づいて取得されることを特徴とする請求項４に記載の画像形成装置。
【請求項６】
記録材に画像形成を行う画像形成装置であって、
感光体と、
帯電位置で前記感光体を帯電する帯電部材と、
前記帯電部材に電圧を印加する電圧印加部と、
帯電された前記感光体の表面を露光して潜像を形成する第１露光ユニットと、
前記潜像が現像剤により現像されて形成される現像剤像を、転写位置で前記像担持体から被転写体に転写させる転写部材と、
前記転写位置を通過した後で前記帯電位置に到達する前の前記感光体の表面を露光する第２露光ユニットと、
前記転写部材に流れる電流を検知する電流検知部と、
前記電圧印加部が前記画像形成時に前記転写部材に印加する転写電圧値を設定する設定部と、
前記画像形成を開始する前に、前記帯電部材が前記感光体を帯電した後、前記電圧印加部が所定の調整用電圧値の電圧を前記転写部材に印加し、前記電流検知部が検知する電流値に基づいて、前記設定部が前記転写電圧値を設定する調整動作と、前記調整動作を行う前に、前記感光体の前記第２露光ユニットによって露光された部分が最初に前記帯電部材で帯電されるタイミングから、前記調整動作において前記電圧印加部が前記転写部材に前記調整用電圧値の電圧印加を開始するタイミングまでの期間と、を制御する制御ユニットと、
を有し、
前記制御ユニットは環境情報に基づいて、前記期間の長さを変更することを特徴とする画像形成装置。
【請求項７】
前記制御ユニットは、絶対水分量に基づいて、前記期間の長さを変更することを特徴とする請求項６に記載の画像形成装置。
【請求項８】
温度湿度センサを有し、前記環境情報は前記温度湿度センサにより検知される温度及び湿度に基づいて取得される情報であることを特徴とする請求項６に記載の画像形成装置。
【請求項９】
前記制御ユニットは、更に前記帯電部材の帯電能に関する情報に基づいて前記期間の長さを制御することを特徴とする請求項６〜８のいずれか１項に記載の画像形成装置。
【請求項１０】
前記帯電部材は前記帯電位置で前記感光体に接触し、前記帯電能に関する情報は、前記帯電部材の抵抗値と、前記帯電部材に電圧を印加した時間と、前記帯電部材を流れる電流の積算値の少なくともいずれかに基づいて取得されることを特徴とする請求項９に記載の画像形成装置。
【請求項１１】
前記制御ユニットは、前記感光体の表面のうち、所望の値以上の帯電電流が前記帯電部材に流れた状態で前記帯電部材に帯電された領域よりも前記感光体の表面移動方向上流側の領域に対して、前記第１露光ユニットが前記潜像の形成のための露光を行うよう、前記期間を制御することを特徴とする請求項１〜１０のいずれか１項に記載の画像形成装置。
【請求項１２】
前記調整動作を行う際、前記帯電部材が前記感光体の帯電を開始するタイミングは、前記第２露光ユニットが露光を開始するタイミングよりも先であることを特徴とする請求項１〜１１のいずれか１項に記載の画像形成装置。
【請求項１３】
前記帯電部材は前記帯電位置で前記感光体に接触し、前記帯電部材が前記感光体を帯電する際、前記帯電部材には直流電圧のみが印加されることを特徴とする請求項１〜１２のいずれか１項に記載の画像形成装置。
【請求項１４】
前記被転写体は、記録材、または、前記感光体から前記現像剤像が転写され、転写された前記現像剤像を記録材へ転写するための中間転写体であることを特徴とする請求項１〜１３のいずれか１項に記載の画像形成装置。
【請求項１５】
前記感光体において、前記第２露光ユニットにより露光された後、前記帯電部材により帯電された領域に発生する過帯電状態の持続時間を取得する取得部を備え、
前記取得部が取得した前記持続時間が経過した後に、前記調整動作において前記電圧印加部が前記転写部材に前記調整用電圧値の電圧印加を開始することを特徴とする請求項１〜１４のいずれか１項に記載の画像形成装置。
【請求項１６】
前記取得部は、前記調整動作において前記電圧印加部が前記調整用電圧値の電圧を前記転写部材に印加したときに前記電流検知部が検知する電流値に基づいて、前記持続時間を取得することを特徴とする請求項１５に記載の画像形成装置。
【請求項１７】
前記電圧印加部は、前記調整動作において、最初に第１の大きさの第１調整用電圧値の電圧を印加し、続いて第２の大きさの第２調整用電圧値の電圧を印加するものであり、
前記取得部は、前記電圧印加部が前記第１調整用電圧値の電圧を印加するタイミングから、前記電圧印加部が印加する電圧の電圧値を前記第１調整用電圧値から前記第２調整用電圧値に切り替えるタイミングまでの期間に前記電流検知部が検知する電流値の平均値を、過帯電状態が発生していないときの正常転写電流値として取得することを特徴とする請求項１６に記載の画像形成装置。
【請求項１８】
前記取得部は、前記電流検知部が検知する電流値に基づいて、前記像担持体における前記前露光部の露光開始位置が、前記転写部材による前記現像剤像の転写位置に到達したタイミングから、前記電流検知部が検知する電流値が前記正常転写電流値に対して所定の範囲内の電流値に収まるタイミングまでの期間を、前記持続時間として取得することを特徴とする請求項１７に記載の画像形成装置。
【請求項１９】
前記電圧印加部は、前記調整動作において、前記画像形成時に印加する電圧値と同じ電圧値の電圧を前記帯電部材に印加することを特徴とする請求項１〜１８のいずれか１項に記載の画像形成装置。
【請求項２０】
前記感光体は、カートリッジとして、画像形成装置の装置本体に対して着脱可能に構成されており、
前記カートリッジは、前記感光体の感光層の膜厚に関する情報と、画像形成装置の使用環境に関する情報と、前記帯電部材の帯電能に関する情報の少なくともいずれかを記憶する記憶部を備えることを特徴とする請求項１〜１９のいずれか１項に記載の画像形成装置。
【手続補正２】
【補正対象書類名】明細書
【補正対象項目名】０００９
【補正方法】変更
【補正の内容】
【０００９】
上記目的を達成するため、本発明の画像形成装置は、
記録材に画像形成を行う画像形成装置であって、
感光体と、
帯電位置で前記感光体を帯電させる帯電部材と、
前記帯電部材に電圧を印加する電圧印加部と、
帯電された前記感光体の表面を露光して潜像を形成する第１露光ユニットと、
前記潜像が現像剤により現像されて形成される現像剤像を、転写位置で前記感光体から被転写体に転写させる転写部材と、
前記転写位置を通過した後で前記帯電位置に到達する前の前記感光体の表面を露光する第２露光ユニットと、
前記転写部材に流れる電流を検知する電流検知部と、
前記電圧印加部が前記画像形成時に前記転写部材に印加する転写電圧値を設定する設定部と、
前記画像形成を開始する前に、前記帯電部材が前記感光体を帯電した後、前記電圧印加部が所定の調整用電圧値の電圧を前記転写部材に印加し、前記電流検知部が検知する電流値に基づいて、前記設定部が前記転写電圧値を設定する調整動作と、前記調整動作を行う前に、前記感光体の前記第２露光ユニットによって露光された部分が最初に前記帯電部材で帯電されるタイミングから、前記調整動作において前記電圧印加部が前記転写部材に前記調整用電圧値の電圧印加を開始するタイミングまでの期間と、を制御する制御ユニットと、
を有し、
前記制御ユニットは、前記感光体の感光層の厚みに関する情報に基づいて、前記期間の長さを変更することを特徴とする。
また、上記目的を達成するため、本発明の画像形成装置は、
記録材に画像形成を行う画像形成装置であって、
感光体と、
帯電位置で前記感光体を帯電する帯電部材と、
前記帯電部材に電圧を印加する電圧印加部と、
帯電された前記感光体の表面を露光して潜像を形成する第１露光ユニットと、
前記潜像が現像剤により現像されて形成される現像剤像を、転写位置で前記像担持体から被転写体に転写させる転写部材と、
前記転写位置を通過した後で前記帯電位置に到達する前の前記感光体の表面を露光する第２露光ユニットと、
前記転写部材に流れる電流を検知する電流検知部と、
前記電圧印加部が前記画像形成時に前記転写部材に印加する転写電圧値を設定する設定部と、
前記画像形成を開始する前に、前記帯電部材が前記感光体を帯電した後、前記電圧印加部が所定の調整用電圧値の電圧を前記転写部材に印加し、前記電流検知部が検知する電流値に基づいて、前記設定部が前記転写電圧値を設定する調整動作と、前記調整動作を行う前に、前記感光体の前記第２露光ユニットによって露光された部分が最初に前記帯電部材で帯電されるタイミングから、前記調整動作において前記電圧印加部が前記転写部材に前記調整用電圧値の電圧印加を開始するタイミングまでの期間と、を制御する制御ユニットと、
を有し、
前記制御ユニットは環境情報に基づいて、前記期間の長さを変更することを特徴とする。
【手続補正３】
【補正対象書類名】明細書
【補正対象項目名】００１４
【補正方法】変更
【補正の内容】
【００１４】
画像形成装置Ａは、パーソナルコンピュータなどのホスト１４に接続されて用いられる。コントローラ部３１において、ホスト１４からのプリント要求信号並びに画像データを処理し、露光手段であるスキャナ３を制御することで、感光ドラム１上に静電潜像（静電像）を形成する。つまり、画像形成装置Ａは、像担持体（回転体）として、図中矢印Ｒ１方向に回転駆動される円筒状の感光ドラム１を有している。本実施例において、感光ドラム１は、円筒状の基体であるアルミシリンダの周囲に感光層（電子写真感光体）として膜厚２４μｍのＯＰＣ層が塗工されたものである。この感光ドラム１の良好な画質を維持できる最低感光体膜厚は９μｍであり、その時点で感光体寿命となる。